【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
単一の周波数の搬送波を使用した、電磁誘導による通信を、第１と第２のデータ処理装置によって行う通信システムにおいて、
前記第１および第２のデータ処理装置は、
前記搬送波を、複数の伝送レートのうちのいずれかの伝送レートで送信されるデータの信号に変調する変調手段
を備え、
１つのトランザクションに前記第１と第２のデータ処理装置の間で使用する伝送レートは、変更可能であり、
前記第１および第２のデータ処理装置は、
自身が搬送波を出力することによりデータを送信するアクティブモードと、
前記第１および第２のデータ処理装置のうちの一方のデータ処理装置は、自身が搬送波を出力することによりデータを送信し、他方のデータ処理装置は、前記一方のデータ処理装置が出力する搬送波を負荷変調することによりデータを送信するパッシブモードと
を、通信モードとして有し、
前記アクティブモードまたはパッシブモードのうちのいずれかの通信モードにより、少なくとも１つのトランザクションの間はその通信モードを維持して、データを伝送する
ことを特徴とする通信システム。
【請求項２】
前記第１および第２のデータ処理装置は、データを、マンチェスタ符号にエンコードするエンコード手段をさらに備え、
前記変調手段は、前記搬送波を、前記マンチェスタ符号にしたがい振幅変調することにより、複数の伝送レートのうちの少なくとも１つの伝送レートで送信されるデータの信号を得る
ことを特徴とする請求項１に記載の通信システム。
【請求項３】
前記第１または第２のデータ処理装置のうちのいずれか一方のデータ処理装置は、他方のデータ処理装置が使用可能な複数の伝送レートの情報を取得し、その情報に基づいて、１つのトランザクションに前記第１と第２のデータ処理装置の間で使用する伝送レートを変更する
ことを特徴とする請求項１に記載の通信システム。
【請求項４】
前記第１または第２のデータ処理装置のうちのいずれか一方のデータ処理装置は、他方のデータ処理装置が使用可能な複数の伝送レートすべての情報を、１つのコマンドの送信と、そのコマンドに対するレスポンスの受信によって取得する
ことを特徴とする請求項３に記載の通信システム。
【請求項５】
単一の周波数の搬送波を使用した、電磁誘導による通信を、第１のデータ処理装置と１以上の第２のデータ処理装置とによって行う通信方法において、
前記第１のデータ処理装置が、前記１以上の第２のデータ処理装置の中から、通信相手とするターゲット装置を選択する選択ステップと、
前記第１と第２のデータ処理装置がデータの伝送に用いる伝送レートを、複数の伝送レートの中から決定する伝送レート決定ステップと、
前記第１のデータ処理装置とターゲット装置との間の通信に関する通信パラメータを変更する変更ステップと、
前記第１のデータ処理装置がデータ交換をリクエストするコマンドを送信するとともに、前記ターゲット装置がそのコマンドに対するレスポンスを送信することによって、前記第１のデータ処理装置とターゲット装置との間で、データのやりとりを行うデータ交換ステップと、
前記ターゲット装置として選択された前記第２のデータ処理装置を解放する解放ステップと
を備え、
前記第１のデータ処理装置とターゲット装置それぞれ自身が搬送波を出力することによりデータを送信するアクティブモードと、前記第１のデータ処理装置は、自身が搬送波を出力することによりデータを送信し、前記ターゲット装置は、前記第１のデータ処理装置が出力する搬送波を負荷変調することによりデータを送信するパッシブモードとの２つの通信モードの中から、前記第１のデータ処理装置とターゲット装置がデータの伝送に用いる通信モードが設定される
ことを特徴とする通信方法。
【請求項６】
前記第１のデータ処理装置とターゲット装置は、データをマンチェスタ符号にエンコードし、そのマンチェスタ符号にしたがい振幅変調を行うことにより、複数の伝送レートのうちの少なくとも１つの伝送レートで送信されるデータの信号を得る
ことを特徴とする請求項５に記載の通信方法。
【請求項７】
前記第１のデータ処理装置は、前記ターゲット装置が使用可能な複数の伝送レートの情報を取得し、その情報に基づいて、１つのトランザクションに前記第１のデータ処理装置とターゲット装置の間で使用する伝送レートを変更する
ことを特徴とする請求項５に記載の通信方法。
【請求項８】
前記第１のデータ処理装置は、前記ターゲット装置が使用可能な複数の伝送レートすべての情報を、１つのコマンドの送信と、そのコマンドに対するレスポンスの受信によって取得する
ことを特徴とする請求項７に記載の通信方法。
【請求項９】
単一の周波数の搬送波を使用した、電磁誘導による通信を行うデータ処理装置において、
電磁波を発生することにより、RF（Radio Frequency）フィールドを形成する電磁波発生手段と、
前記電磁波に対応する前記搬送波を、データにしたがって変調することにより、データを所定の伝送レートで送信する変調手段と、
前記電磁波発生手段が発生した電磁波、または他の装置が発生した電磁波を復調することにより、所定の伝送レートで送信されてくるデータを取得する復調手段と
を備え、
前記変調手段は、複数の伝送レートでデータを送信し、
その複数の伝送レートそれぞれでのデータの送信に対して返ってくるレスポンスに基づいて、通信相手を認識するとともに、複数の伝送レートの中から、前記通信相手とのデータの伝送に用いる伝送レートを決定する
ことを特徴とするデータ処理装置。
【請求項１０】
単一の周波数の搬送波を使用した、電磁誘導による通信を行うデータ処理装置において、
電磁波に対応する前記搬送波を、データにしたがって変調することにより、データを所定の伝送レートで送信する変調手段と、
電磁波を復調することにより、所定の伝送レートで送信されてくるデータを取得する復調手段と
を備え、
前記変調手段が、通信相手から送信され、前記復調手段で取得されたコマンドに対するレスポンスを、前記通信相手に送信することにより、前記通信相手との間でデータの伝送を行い、
前記復調手段は、複数の伝送レートについて復調を行い、
複数の伝送レートの中から、前記復調手段において復調することができたデータの伝送レートを、前記通信相手とのデータの伝送に用いる伝送レートとして決定する
ことを特徴とするデータ処理装置。
【請求項１１】
前記変調手段は、前記通信相手が発生した電磁波に対応する搬送波を負荷変調する
ことを特徴とする請求項１０に記載のデータ処理装置。
【請求項１２】
電磁波を発生することにより、RF（Radio Frequency）フィールドを形成する電磁波発生手段をさらに備え、
前記変調手段は、前記電磁波発生手段が発生する電磁波に対応する搬送波を変調する
ことを特徴とする請求項１０に記載のデータ処理装置。
【手続補正２】
【補正対象書類名】明細書
【補正対象項目名】００１３
【補正方法】変更
【補正の内容】
【００１３】
本発明の通信システムは、第１および第２のデータ処理装置は、搬送波を、複数の伝送レートのうちのいずれかの伝送レートで送信されるデータの信号に変調する変調手段を備え、１つのトランザクションに第１と第２のデータ処理装置の間で使用する伝送レートは、変更可能であり、第１および第２のデータ処理装置は、自身が搬送波を出力することによりデータを送信するアクティブモードと、第１および第２のデータ処理装置のうちの一方のデータ処理装置は、自身が搬送波を出力することによりデータを送信し、他方のデータ処理装置は、一方のデータ処理装置が出力する搬送波を負荷変調することによりデータを送信するパッシブモードとを、通信モードとして有し、アクティブモードまたはパッシブモードのうちのいずれかの通信モードにより、少なくとも１つのトランザクションの間はその通信モードを維持して、データを伝送することを特徴とする。
【手続補正３】
【補正対象書類名】明細書
【補正対象項目名】００１７
【補正方法】変更
【補正の内容】
【００１７】
本発明の通信システムにおいては、搬送波が、複数の伝送レートのうちのいずれかの伝送レートで送信されるデータの信号に変調される。そして、１つのトランザクションに第１と第２のデータ処理装置の間で使用する伝送レートが、変更可能となっており、第１および第２のデータ処理装置は、自身が搬送波を出力することによりデータを送信するアクティブモードと、第１および第２のデータ処理装置のうちの一方のデータ処理装置は、自身が搬送波を出力することによりデータを送信し、他方のデータ処理装置は、一方のデータ処理装置が出力する搬送波を負荷変調することによりデータを送信するパッシブモードとを、通信モードとして有し、アクティブモードまたはパッシブモードのうちのいずれかの通信モードにより、少なくとも１つのトランザクションの間はその通信モードを維持して、データを伝送する。
【手続補正４】
【補正対象書類名】明細書
【補正対象項目名】００２４
【補正方法】変更
【補正の内容】
【００２４】
請求項１に記載の通信システムは、
単一の周波数の搬送波を使用した、電磁誘導による通信を、第１と第２のデータ処理装置によって行う通信システムにおいて、
前記第１および第２のデータ処理装置は、
前記搬送波を、複数の伝送レートのうちのいずれかの伝送レートで送信されるデータの信号に変調する変調手段（例えば、図４の変調部１９または負荷変調部２０）
を備え、
１つのトランザクションに前記第１と第２のデータ処理装置の間で使用する伝送レートは、変更可能であり、
前記第１および第２のデータ処理装置は、
自身が搬送波を出力することによりデータを送信するアクティブモードと、
前記第１および第２のデータ処理装置のうちの一方のデータ処理装置は、自身が搬送波を出力することによりデータを送信し、他方のデータ処理装置は、前記一方のデータ処理装置が出力する搬送波を負荷変調することによりデータを送信するパッシブモードと
を、通信モードとして有し、
前記アクティブモードまたはパッシブモードのうちのいずれかの通信モードにより、少なくとも１つのトランザクションの間はその通信モードを維持して、データを伝送する
ことを特徴とする。